(57)【要約】【課題】ペットボトル用キャップを所定の大きさを超えているか否かによって迅速且つ確実に選別するペットボトル用キャップの選別装置を提供する。【解決手段】ペットボトル用キャップの選別装置を、水平面内で回転せしめられる選別用回転円盤２と、内筒4aと外筒4bとこれら両筒4a，4bを連結する上面板4cとから成る上部カバー４と、ペットボトル用キャップＦを外周方向に誘導するためのガイドプレート５とガイドプレート５から横設され下面が選別用回転円盤２の上面2bから所定高さに位置せしめられている選別板６とからなる選別ガイド部材と、選別板６の下方に形成された開口部と対向する内側集積円周溝９と、外側集積円周溝３内及び内側集積円周溝９内に落下したペットボトル用キャップＦをそれぞれ各排出口3a，9aに移動させる外側用スクレーパ及び内側用スクレーパとから構成させる。【選択図】図３
2015020140.tif 000002
【特許請求の範囲】
【請求項１】
脚台(１)の上面に設置され該脚台(１)内の駆動装置(2a)によって水平面内で回転せしめられる選別用回転円盤(２)の上面(2b)からその下端(4aa)までの高さが、最も高さの高いペットボトル用キャップ(Fa)の高さより高く且つその直径より低い位置に位置せしめられている内筒(4a)と、該選別用回転円盤(２)の外周の下方で該脚台(１)に固定されている外側集積円周溝(３)の外側に設けられている外筒(4b)と、これら両筒(4a，4b)を連結する上面板(4c)とから成り、該内筒(4a)内が該選別用回転円盤(２)の上面(2b)の中心部への被選別用ペットボトル用キャップ投入路(4ab)を成している上部カバー(４)が、該脚台(１)に支持固定されていて、
該選別用回転円盤(２)の上面(2b)には、該選別用回転円盤(２)の上面(2b)と該上部カバー(４)の内筒(4a)の下端(4aa)との間を通過したペットボトル用キャップ(Ｆ)を外周方向に誘導するための該選別用回転円盤(２)の回転方向に偏向させた方向に立設されたガイドプレート(５)と、該ガイドプレート(５)から該選別用回転円盤(２)の回転方向に横設され下面が該選別用回転円盤(２)の上面(2b)から所定高さに位置せしめられている選別板(６)とからなる選別ガイド部材(７)が、隣接する該選別ガイド部材(７)の選別板(６)の端部とガイドプレート(５)との間隔が最も外径の大きいペットボトル用キャップ(Fb)の外径より広い案内路(2d)を形成して設けられており、
且つ該選別用回転円盤(２)の円周側には該選別ガイド部材(７)の該選別板(６)の下方に位置する部分がそれぞれ切欠された開口部(８)が形成されており、
該開口部(８)に対向する下面側には内側集積円周溝(９)が該脚台(１)上に設置されており、
更に該選別用回転円盤(２)の外周及び下面には該外側集積円周溝(３)内及び該内側集積円周溝(９)内に落下したペットボトル用キャップ(Ｆ)をそれぞれ該外側集積円周溝(３)及び該内側集積円周溝(９)の各排出口(3a， 9a)に移動させる外側用スクレーパ(１０)及び内側用スクレーパ(１１)が設置されていることを特徴とするペットボトル用キャップの選別装置。
【請求項２】
各ガイドプレート(５，‥‥)が、選別用回転円盤(２)の回転方向に偏向させた方向に立設された外周側部位(5a)の該選別用回転円盤(２)の中心側から該選別用回転円盤(２)の中心部へ向けて連続して、該選別用回転円盤(２)の半径方向に沿って形成された内周側部位(5b)を更に有するガイドプレートである請求項１に記載のペットボトル用キャップの選別装置。
【請求項３】
上部カバー(４)の内筒(4a)の内面に選別用回転円盤(２)の中心に向けて、投入されたペットボトル用キャップ(Ｆ)を撹拌するための撹拌棒(１２)が突設されている請求項１又は２に記載のペットボトル用キャップの選別装置。
【請求項４】
選別用回転円盤(２)上の案内路(2d)に空気を吹き付けて目詰まり防止するためのエアブロー装置(１３)が、上部カバー(４)に、該選別用回転円盤(２)の中心方向に向けて及び／又は該選別用回転円盤(２)の外周方向に向けて固定されていると共に、該上部カバー(４)の被選別用ペットボトル用キャップ投入路(4ab)内のペットボトル用キャップ(Ｆ)の堆積量に応じてエアブロー装置(１３)を稼働又は停止させるセンサー(13a)が該被選別用ペットボトル用キャップ投入路(4ab)内に設けられている請求項１から３までの何れか１項に記載のペットボトル用キャップの選別装置。
【請求項５】
選別用回転円盤(２)の上面(2b)の中心部に円錐形分散台(2c)が更に設置されている請求項１から４までの何れか１項に記載のペットボトル用キャップの選別装置。
【発明の詳細な説明】
【技術分野】
【０００１】
本発明は、ペットボトル用キャップを所定の大きさ以下か否かによって迅速且つ確実に選別するペットボトル用キャップの選別装置に関するものである。
【背景技術】
【０００２】
プラスチック資源の再利用化と、焼却処分をした際に発生するＣＯ２を抑制することを目的として、近年ペットボトル用キャップ回収事業が盛んに行われている。
【０００３】
このようなペットボトル用キャップは、溶融して樹脂材料として再生されることが多いが、色彩の異なるペットボトル用キャップを一緒に溶融すると、再生された樹脂材料の色彩が安定せず、非常に使い勝手の悪い樹脂材料となるという問題がある。
【０００４】
このような問題に対して、容器のキャップの色を判断する判断手段と、それにより得られた結果に基づいて、キャップの色を識別する識別手段とを備えていて、キャップの色に基づいてキャップを分別する分別装置がある（例えば、特許文献１参照。）。
【０００５】
またペットボトル用キャップは、ポリプロピレン（ＰＰ）製又はポリエチレン（ＰＥ）製であり、これらの種類の異なるキャップを一緒に溶融すると、再生された樹脂材料の性質が安定しないという問題もある。
【０００６】
このような問題に対しては、ペットボトル用キャップを表又は裏が上に向くようにして一列に整列させて順次供給する供給手段と、前記供給手段により供給された前記キャップをそのまま一列に整列させて搬送する搬送手段と、前記キャップの材質を該キャップの横又は斜めから検出する材質検出手段と、前記キャップの色を該キャップの横又は斜めから検出する色検出手段と、前記キャップの通過を検出する通過検出手段と、前記搬送手段による搬送方向と交差する方向に横又は斜めからエアーを噴射する噴射ノズルが設けられており、前記材質検出手段及び前記色検出手段、並びに、前記通過検出手段の検出結果に応じて、前記噴射ノズルからエアーを噴射して前記材質検出手段及び前記色検出手段の検出結果に対応する材質及び色のキャップを落下させる選別手段と、前記選別手段により落下するキャップを材質及び色毎に回収する回収手段とを備えることを特徴とするペットボトル用キャップ選別装置がある（例えば、特許文献２参照。）。
【０００７】
上述のような各装置を使用すれば、ペットボトル用キャップをその色彩や材質によって選別することが可能となるが、ペットボトル用キャップには、その大きさについて明確な規格がなく、様々な大きさのキャップが存在するという問題があり、これにより大きく径の異なるキャップが各装置に送り込まれると、キャップ同士が重なった状態となって、色彩による選別や材質による選別の精度が大きく損なわれるという問題があり、上述の色彩や材質による選別装置を使用する前段階として、ペットボトル用キャップの大きさによって或る程度の選別をしておくことが重要となる。
【先行技術文献】
【特許文献】
【０００８】
【特許文献１】特開２０１１−１６０４０号公報
【特許文献２】特開２０１２−１３９６５０号公報
【発明の概要】
【発明が解決しようとする課題】
【０００９】
本発明は前記の問題に鑑み、ペットボトル用キャップを所定の大きさ以下か否かによって迅速且つ確実に選別するペットボトル用キャップの選別装置を提供することを課題とする。
【課題を解決するための手段】
【００１０】
本発明者等は、前記課題を解決すべく鋭意検討した結果、ペットボトル用キャップのうち、径の小さいキャップとそれ以外のキャップとを選別する際に、径の大きなキャップは高さも高く、また径の小さいキャップは高さも低いことから、キャップの高さによってキャップを選別すれば、径が大きく異なるキャップを容易に選別することができ、選別したキャップを、色彩や材質による選別装置へと送っても、キャップ同士が重なった状態となるようなことがなく確実に選別することができることに着目し、具体的にはペットボトル用キャップの選別装置において、脚台の上面に設置され脚台内の駆動装置によって水平面内で回転せしめられる選別用回転円盤の上面からその下端までの高さが、最も高さの高いペットボトル用キャップの高さより高く且つその直径より低い位置に位置せしめられている内筒と、選別用回転円盤の外周の下方で脚台に固定されている外側集積円周溝の外側に設けられている外筒と、これら両筒を連結する上面板とから成り、内筒内が選別用回転円盤の上面の中心部への被選別用ペットボトル用キャップ投入路を成している上部カバーを、脚台に支持固定させ、選別用回転円盤の上面に、選別用回転円盤の上面と上部カバーの内筒の下端との間を通過したペットボトル用キャップを外周方向に誘導するための選別用回転円盤の回転方向に偏向させた方向に立設されたガイドプレートと、このガイドプレートから選別用回転円盤の回転方向に横設され下面が選別用回転円盤の上面から所定高さに位置せしめられている選別板とからなる選別ガイド部材を、隣接する選別ガイド部材の選別板の端部とガイドプレートとの間隔が最も外径の大きいペットボトル用キャップの外径より広い案内路を形成して設け、且つ選別用回転円盤の円周側には選別ガイド部材の選別板の下方に位置する部分にそれぞれ切欠された開口部を形成させ、この開口部に対向する下面側には内側集積円周溝を脚台上に設置させ、更に選別用回転円盤の外周及び下面には外側集積円周溝内及び内側集積円周溝内に落下したペットボトル用キャップをそれぞれ外側集積円周溝及び内側集積円周溝の各排出口に移動させる外側用スクレーパ及び内側用スクレーパを設置すれば、使用済みのペットボトル用キャップが順次投入される選別用回転円盤を回転させ、その遠心力を利用して、所定の高さ以下のものと、所定高さを超えるものとに選別することで、ペットボトル用キャップを所定の大きさを基準として非常に迅速且つ確実に選別することができ、更に選別後のペットボトル用キャップの回収も容易且つ確実にできることを究明して本発明を完成したのである。
【００１１】
即ち本発明は、脚台の上面に設置され脚台内の駆動装置によって水平面内で回転せしめられる選別用回転円盤の上面からその下端までの高さが、最も高さの高いペットボトル用キャップの高さより高く且つその直径より低い位置に位置せしめられている内筒と、選別用回転円盤の外周の下方で脚台に固定されている外側集積円周溝の外側に設けられている外筒と、これら両筒を連結する上面板とから成り、内筒内が選別用回転円盤の上面の中心部への被選別用ペットボトル用キャップ投入路を成している上部カバーが、脚台に支持固定されていて、
選別用回転円盤の上面には、選別用回転円盤の上面と上部カバーの内筒の下端との間を通過したペットボトル用キャップを外周方向に誘導するための選別用回転円盤の回転方向に偏向させた方向に立設されたガイドプレートと、このガイドプレートから選別用回転円盤の回転方向に横設され下面が選別用回転円盤の上面から所定高さに位置せしめられている選別板とからなる選別ガイド部材が、隣接する選別ガイド部材の選別板の端部とガイドプレートとの間隔が最も外径の大きいペットボトル用キャップの外径より広い案内路を形成して設けられており、
且つ選別用回転円盤の円周側には選別ガイド部材の選別板の下方に位置する部分がそれぞれ切欠された開口部が形成されており、
開口部に対向する下面側には内側集積円周溝が脚台上に設置されており、
更に選別用回転円盤の外周及び下面には外側集積円周溝内及び内側集積円周溝内に落下したペットボトル用キャップをそれぞれ外側集積円周溝及び内側集積円周溝の各排出口に移動させる外側用スクレーパ及び内側用スクレーパが設置されていることを特徴とするペットボトル用キャップの選別装置である。
【００１２】
また各ガイドプレートが、選別用回転円盤の回転方向に偏向させた方向に立設された外周側部位の選別用回転円盤の中心側から選別用回転円盤の中心部へ向けて連続して、選別用回転円盤の半径方向に沿って形成された内周側部位を更に有するガイドプレートであれば、選別用回転円盤の半径方向に沿って形成された内周側部位によって、ペットボトル用キャップが選別用回転円盤の外周方向に向けてスムーズに送り出され、その後に回転方向に偏向させた方向に立設された外周側部位側において、ペットボトル用キャップを確実に選別できて好ましく、更に上部カバーの内筒の内面に選別用回転円盤の中心に向けて、投入されたペットボトル用キャップを撹拌するための撹拌棒が突設されていれば、キャップ同士の重なりや目詰まりを容易に解消できて好ましく、選別用回転円盤上の案内路に空気を吹き付けて目詰まり防止するためのエアブロー装置が、上部カバーに、選別用回転円盤の中心方向に向けて及び／又は選別用回転円盤の外周方向に向けて固定されていると共に、上部カバーの被選別用ペットボトル用キャップ投入路内のペットボトル用キャップの堆積量に応じてエアブロー装置を稼働又は停止させるセンサーが被選別用ペットボトル用キャップ投入路内に設けられていれば、目詰まりを自動的に感知して容易に解消できて好ましく、選別用回転円盤の上面の中心部に円錐形分散台が更に設置されていれば、選別用回転円盤の中心部に投入されたペットボトル用キャップにはあまり遠心力が働かないが、このようなペットボトル用キャップを迅速に各方向に均等に分散させて遠心力が働くようにすることができて好ましいのである。
【発明の効果】
【００１３】
本発明に係るペットボトル用キャップの選別装置は、脚台の上面に設置され脚台内の駆動装置によって水平面内で回転せしめられる選別用回転円盤の上面からその下端までの高さが、最も高さの高いペットボトル用キャップの高さより高く且つその直径より低い位置に位置せしめられている内筒と、選別用回転円盤の外周の下方で脚台に固定されている外側集積円周溝の外側に設けられている外筒と、これら両筒を連結する上面板とから成り、内筒内が選別用回転円盤の上面の中心部への被選別用ペットボトル用キャップ投入路を成している上部カバーが、脚台に支持固定されているから、被選別用ペットボトル用キャップ投入路に投入された大きさの異なる使用済みのペットボトル用キャップは、キャップ同士が重なった状態や横倒しとなった状態が解消されるまでは上部カバーの内筒の下端と選別用回転円盤の上面との間を通過できないので選別されないから、確実にその大きさによって選別することができ、
また選別用回転円盤の上面には、選別用回転円盤の上面と上部カバーの内筒の下端との間を通過したペットボトル用キャップを外周方向に誘導するための選別用回転円盤の回転方向に偏向させた方向に立設されたガイドプレートと、このガイドプレートから選別用回転円盤の回転方向に横設され下面が選別用回転円盤の上面から所定高さに位置せしめられている選別板とからなる選別ガイド部材が、隣接する選別ガイド部材の選別板の端部とガイドプレートとの間隔が最も外径の大きいペットボトル用キャップの外径より広い案内路を形成して設けられており、且つ選別用回転円盤の円周側には選別ガイド部材の選別板の下方に位置する部分がそれぞれ切欠された開口部が形成されており、この開口部に対向する下面側には内側集積円周溝が脚台上に設置されているから、高さの高い（径の大きな）ペットボトル用キャップは、選別用回転円盤の遠心力によって案内路を通して、選別用回転円盤の外周に固定されている外側集積円周溝へと落とし込まれ、所定の高さ以下の高さの低い（径の小さい）ペットボトル用キャップは、選別ガイド部材によって、ガイドプレートに横設された選別板の下へともぐり込み、開口部から内側集積円周溝へと落とし込まれることで、非常に迅速且つ確実にペットボトル用キャップを選別することができ、
更に選別用回転円盤の外周及び下面には外側集積円周溝内及び内側集積円周溝内に落下したペットボトル用キャップをそれぞれ外側集積円周溝及び内側集積円周溝の各排出口に移動させる外側用スクレーパ及び内側用スクレーパが設置されているから、選別後のペットボトル用キャップの回収も容易且つ確実にできるのである。
【００１４】
また各ガイドプレートが、選別用回転円盤の回転方向に偏向させた方向に立設された外周側部位の選別用回転円盤の中心側から選別用回転円盤の中心部へ向けて連続して、選別用回転円盤の半径方向に沿って形成された内周側部位を更に有するガイドプレートである態様では、選別用回転円盤の半径方向に沿って形成された内周側部位によって、ペットボトル用キャップが選別用回転円盤の外周方向に向けてスムーズに送り出され、その後に回転方向に偏向させた方向に立設された外周側部位側において、ペットボトル用キャップを確実に選別できて好ましく、更に上部カバーの内筒の内面に選別用回転円盤の中心に向けて、投入されたペットボトル用キャップを撹拌するための撹拌棒が突設されている態様では、キャップ同士の重なりや目詰まりを容易に解消できて好ましく、選別用回転円盤上の案内路に空気を吹き付けて目詰まり防止するためのエアブロー装置が、上部カバーに、選別用回転円盤の中心方向に向けて及び／又は選別用回転円盤の外周方向に向けて固定されていると共に、上部カバーの被選別用ペットボトル用キャップ投入路内のペットボトル用キャップの堆積量に応じてエアブロー装置を稼働又は停止させるセンサーが被選別用ペットボトル用キャップ投入路内に設けられている態様では、目詰まりを自動的に感知して容易に解消できて好ましく、選別用回転円盤の中心部に円錐形分散台が更に設置されていれば、選別用回転円盤の中心部に投入されたペットボトル用キャップにはあまり遠心力が働かないが、このようなペットボトル用キャップを迅速に各方向に均等に分散させて遠心力が働くようにすることができて好ましいのである。
【図面の簡単な説明】
【００１５】
【図１】本発明に係るペットボトル用キャップの選別装置の一実施例であって上部カバーを取り外した状態を示す平面図である。
【図２】図１に示したペットボトル用キャップの選別装置に上部カバーを装着した状態を示す平面図である。
【図３】ペットボトル用キャップの選別装置の図２におけるＡ−Ａ線断面説明図である。
【図４】本発明に係るペットボトル用キャップの選別装置の他の実施例であって上部カバーを取り外した状態を示す平面図である。
【発明を実施するための形態】
【００１６】
以下、図面を用いて本発明に係るペットボトル用キャップの選別装置について詳細に説明する。
【００１７】
Ｆは本発明に係るペットボトル用キャップの選別装置に投入され選別される使用済みのペットボトル用キャップであり、このペットボトル用キャップＦの中で、Faは最も高さの高いペットボトル用キャップ、Fbは最も外径の大きいペットボトル用キャップである。
【００１８】
１は脚台であり、２は脚台１の上面に設置され脚台１内の駆動装置2aによって水平面内で回転せしめられる選別用回転円盤である。この選別用回転円盤２の上面2bの中心部に円錐形分散台2cが設置されていれば、選別用回転円盤２の中心部に投入されたペットボトル用キャップＦにはあまり遠心力が働かないが、このようなペットボトル用キャップＦを迅速に各方向に均等に分散させて遠心力が働くようにすることができて好ましいのである。
【００１９】
４は選別用回転円盤２の上面2bからその下端4aaまでの高さが、最も高さの高いペットボトル用キャップFaの高さより高く且つその直径より低い位置に位置せしめられている内筒4aと、この選別用回転円盤２の外周の下方で脚台１に固定されている外側集積円周溝３の外側に設けられている外筒4bと、これら両筒4a，4bを連結する上面板4cとから成り、内筒4a内が選別用回転円盤の上面の中心部への被選別用ペットボトル用キャップ投入路4abを成している上部カバーであり、この上部カバー４は脚台１に支持固定されている。この内筒4aは同心円状に何重にも筒が重ねられたような態様であってもよく、この場合には、最も内側に位置する筒内部が被選別用ペットボトル用キャップ投入路4abの役割をなす。またこのように何重にも筒が重ねられたような態様では、少なくとも最も外側に位置する筒の選別用回転円盤２の上面2bからその下端までの高さが、最も高さの高いペットボトル用キャップFaの高さより高く且つその直径より低い位置に位置せしめられていればよく、それ以外の筒の選別用回転円盤２の上面2bからその下端までの高さは、最も外側に位置する筒の高さと同じかそれより高ければよい。
【００２０】
５は選別用回転円盤２の上面2bと上部カバー４の内筒4aの下端4aaとの間を通過したペットボトル用キャップＦを外周方向に誘導するための選別用回転円盤２の回転方向に偏向させた方向に立設されたガイドプレートである。この各ガイドプレート５，‥‥が、選別用回転円盤２の回転方向に偏向させた方向に立設された外周側部位5aの選別用回転円盤の中心側から選別用回転円盤２の中心部へ向けて連続して、選別用回転円盤２の半径方向に沿って形成された内周側部位5bを更に有するガイドプレートであれば、選別用回転円盤２の半径方向に沿って形成された内周側部位5bによって、ペットボトル用キャップＦが選別用回転円盤２の外周方向に向けてスムーズに送り出され、その後に回転方向に偏向させた方向に立設された外周側部位5a側において、ペットボトル用キャップＦを確実に選別できて好ましいのである。
【００２１】
６はガイドプレート５から選別用回転円盤２の回転方向に横設され下面が選別用回転円盤２の上面2bから所定高さに位置せしめられている選別板である。また７はガイドプレート５と選別板６とからなる選別ガイド部材であり、この選別ガイド部材７は、選別用回転円盤２の上面2bに、隣接する選別ガイド部材７の選別板６の端部とガイドプレート５との間隔が最も外径の大きいペットボトル用キャップFbの外径より広い案内路2dを形成するように設けられている。
【００２２】
８は選別ガイド部材７の選別板６の下方に位置する部分の選別用回転円盤２の円周側がそれぞれ切欠された開口部であり、９は内側集積円周溝であり、この内側集積円周溝９は開口部８に対向する下面側において、脚台１上に設置されている。
【００２３】
１０及び１１は、選別用回転円盤２の外周及び下面にそれぞれ設けられた外側集積円周溝３及び内側集積円周溝９の内部に落下したペットボトル用キャップＦをそれぞれ外側集積円周溝３及び内側集積円周溝９の各排出口3a，9aに移動させる外側用スクレーパ及び内側用スクレーパである。なお外側用スクレーパ１０は、選別板６から延設されていたり、選別用回転円盤２の外周に直接に固定されたものであってもよい。
【００２４】
１２は投入されたペットボトル用キャップＦを撹拌するための撹拌棒であり、上部カバー４の内筒4aの内面に選別用回転円盤２の中心に向けて突設されている。この撹拌棒１２によって、ペットボトル用キャップＦ，Ｆ同士の重なりや目詰まりを容易に解消できて好ましいのである。
【００２５】
１３は選別用回転円盤２上の案内路2dに空気を吹き付けて目詰まり防止するためのエアブロー装置であり、このエアブロー装置１３は、上部カバー４に、選別用回転円盤２の中心方向に向けて及び／又は選別用回転円盤２の外周方向に向けて固定されていると共に、上部カバー４の被選別用ペットボトル用キャップ投入路4ab内のペットボトル用キャップＦの堆積量に応じてエアブロー装置１３を稼働又は停止させるセンサー13aが被選別用ペットボトル用キャップ投入路4ab内に設けられている。
【００２６】
このような本発明に係るペットボトル用キャップの選別装置の具体的な使用方法を詳述すれば、先ず様々な大きさの使用済みのペットボトル用キャップＦに対して、選別の基準となる所定の高さを予め確定しておき、その高さに基づいて選別板６の位置を決めてガイドプレート５の選別用回転円盤２の回転方向に横設して固定した本発明に係るペットボトル用キャップの選別装置を準備する。
【００２７】
そして、駆動装置2aにより選別用回転円盤２を回転させた状態で、図３の如く、上部カバー４の内筒4a内の被選別用ペットボトル用キャップ投入路4abに、大きさの異なる使用済みのペットボトル用キャップＦを投入する。なおその際に図３の如く、選別用回転円盤２の中心部に円錐形分散台2cが更に設置されていれば、ペットボトル用キャップＦは円錐形分散台2c上で各方向に均等に分散されるのである。
【００２８】
このようにして投入された使用済みのペットボトル用キャップＦが、重なった状態や横倒しとなった状態（ペットボトル用キャップＦの円筒状の外周面の一部が選別用回転円盤２の上面2b上に当接した状態）では、ペットボトル用キャップＦの選別が正確にできない。そのためこのようなペットボトル用キャップＦが選別ガイド部材７へと送り込まれないように、選別用回転円盤２の上面2bから上部カバー４の内筒4aの下端4aaまでの高さが、最も高さの高いペットボトル用キャップFaの高さより高く且つその直径より低い位置に位置せしめられている。即ち、ペットボトル用キャップＦが重なった状態が解消され、又は伏せた状態（ペットボトル用キャップＦの円筒状の外周面が選別用回転円盤２の上面2b上に当接していない状態）となった後に、選別ガイド部材７に遠心力で送られて、選別されるようになっているのである。
【００２９】
なおペットボトル用キャップＦが、重なった状態や横倒しとなった状態（ペットボトル用キャップＦの円筒状の外周面の一部が選別用回転円盤２の上面2b上に当接した状態）をより早く解消させて、伏せた状態（ペットボトル用キャップＦの円筒状の外周面が選別用回転円盤２の上面2b上に当接していない状態）となるようにするために、図２の如く、上部カバー４の内筒4a内から選別用回転円盤２の中心に向けて、投入されたペットボトル用キャップＦを撹拌するための撹拌棒１２を突設させておけば、ペットボトル用キャップＦ，Ｆ同士の重なりを容易に解消でき、また通過できないペットボトル用キャップＦによる目詰まりも発生しがたく、選別作業を迅速に行えて好ましいのである。
【００３０】
また上部カバー４には、選別ガイド部材７や外側集積円周溝３等に選別前のペットボトル用キャップＦが直接流れ込まないように、選別ガイド部材７等を覆うように、外筒4bや、内筒4aと外筒4bの上部を連結する上面板4cが設けられているから、投入されたペットボトル用キャップＦは内筒4aのみを通過して投入されるのである。
【００３１】
このようにして投入された大きさの異なるペットボトル用キャップＦは、選別用回転円盤２の各半径方向に向けて遠心力により移動し、伏せた状態（ペットボトル用キャップＦの円筒状の外周面が選別用回転円盤２の上面2b上に当接していない状態）で上部カバー４の内筒4aの下端4aaと選別用回転円盤２の上面2bとの間を通過し、選別ガイド部材７へと向かうのである。
【００３２】
そして、選別ガイド部材７はガイドプレート５とガイドプレート５から横設されていて下面が選別用回転円盤２の上面2bから所定高さに位置せしめられている選別板６とから構成されていて、ガイドプレート５（外周側部位5a）は選別用回転円盤２の半径方向から選別用回転円盤２の回転方向に偏向させた方向に立設されていて、選別板６もガイドプレート５から選別用回転円盤２の回転方向に横設されているので、遠心力によって選別用回転円盤２の半径方向に移動しようとするペットボトル用キャップＦはどこかで必ず選別ガイド部材７と接触するのである。
【００３３】
即ち遠心力によって選別用回転円盤２の半径方向に移動しようとするペットボトル用キャップＦは、偏向させた方向に設けられている何れかの選別ガイド部材７の選別板６に対して、徐々に近づきながら外周方向に移動していく。
【００３４】
この際に、選別板６は下面が選別用回転円盤２の上面2bから所定高さに位置せしめられているので、最初に決めた所定高さ以下のペットボトル用キャップＦは何れかの選別ガイド部材７に対して徐々に近づき、そしてその選別板６の下へと潜り込むように移動して行き、最終的には選別ガイド部材７の選別板６の下方に位置する部分の選別用回転円盤２の円周側に形成された開口部８から脚台１上に設置された内側集積円周溝９へと落下して堆積するのである。
【００３５】
最初に決めた所定高さより高さが高いペットボトル用キャップＦは、選別板６の下へと潜り込むことができないので、隣接する選別ガイド部材７の選別板６の端部とガイドプレート５との間に形成された案内路2dを通って、選別用回転円盤２の外部へと遠心力により移動し排出され、選別用回転円盤２の外周の下方で脚台１に固定されている外側集積円周溝３に落下して堆積するのである。
【００３６】
このような選別ガイド部材７による選別をよりスムーズに行うために、各ガイドプレート５，‥‥が、選別用回転円盤２の回転方向に偏向させた方向に立設された外周側部位5aの選別用回転円盤２の中心側から選別用回転円盤２の中心部へ向けて連続して、選別用回転円盤２の半径方向に沿って形成された内周側部位5bを更に有するガイドプレートであれば、選別用回転円盤２の半径方向に沿って形成された内周側部位5bによって、ペットボトル用キャップＦが選別用回転円盤２の外周方向に向けてスムーズに送り出され、その後に回転方向に偏向させた方向に立設された外周側部位5a側において、ペットボトル用キャップＦを確実に選別できて好ましいのである。
【００３７】
また選別用回転円盤２上の案内路2dにおいて目詰まり等をすると、順次投入されるペットボトル用キャップＦが上部カバー４の被選別用ペットボトル用キャップ投入路4abにおいて、どんどん堆積していくことから、選別用回転円盤２上の案内路2dに空気を吹き付けて目詰まり防止するためのエアブロー装置１３を、上部カバー４に、選別用回転円盤２の中心方向に向けて及び／又は選別用回転円盤２の外周方向に向けて固定すると共に、上部カバー４の被選別用ペットボトル用キャップ投入路4ab内のペットボトル用キャップＦの堆積量に応じてエアブロー装置１３を稼働又は停止させるセンサー13aを被選別用ペットボトル用キャップ投入路4ab内に設ければ、目詰まりを自動的に感知して容易に解消できて好ましいのである。
【００３８】
このようにして選別ガイド部材７による選別されたペットボトル用キャップＦのうち、最初に決めた所定高さ以下のペットボトル用キャップＦは内側集積円周溝９に、最初に決めた所定高さより高いペットボトル用キャップＦは外側集積円周溝３に、それぞれ堆積するので、回転する選別用回転円盤２を利用して、選別用回転円盤２に設置された外側用スクレーパ１０及び内側用スクレーパ１１によって各溝３，９のペットボトル用キャップＦを掻き集め、各排出口3a，9aから排出させるのである。
【００３９】
このようにして、ペットボトル用キャップＦの大きさによる選別をした後に、選別されたペットボトル用キャップＦ毎に、ペットボトル用キャップＦをその色彩や材質によって選別する装置へと送れば、ペットボトル用キャップＦ同士が重なった状態となることがなく、色彩による選別や、材質による選別が高い精度で行うことができるのである。
【符号の説明】
【００４０】
１  脚台
２  選別用回転円盤
2a  駆動装置
2b  上面
2c  円錐形分散台
2d  案内路
３  外側集積円周溝
3a  排出口
４  上部カバー
4a  内筒
4aa  下端
4ab  被選別用ペットボトル用キャップ投入路
4b  外筒
4c  上面板
５  ガイドプレート
5a  外周側部位
5b  内周側部位
６  選別板
７  選別ガイド部材
８  開口部
９  内側集積円周溝
9a  排出口
１０，１１  スクレーパ
１２  撹拌棒
１３  エアブロー装置
13a  センサー
Ｆ  ペットボトル用キャップ
Fa  最も高さの高いペットボトル用キャップ
Fb  最も外径の大きいペットボトル用キャップ
【図１】
2015020140.tif 000003
【図２】
2015020140.tif 000004
【図３】
2015020140.tif 000005
【図４】
2015020140.tif 000006